(57)【要約】【課題】碍子のメンテナンス作業にかかる作業効率の向上を図るとともに碍子のメンテナンス作業にかかる作業者の負担軽減を図ること。【解決手段】碍子連１１０を構成する碍子１１１の上方を開放するとともに当該碍子を当該碍子の下方から覆うカバー部材１０１と、前記カバー部材１０１が前記碍子連１１０を覆う状態で当該カバー部材１０１を支持するカバー取付部材１０３と、前記カバー部材１０１の内側に設けられ、前記碍子から前記カバー部材１０１を離間させる離間部材１０２と、を備えた碍子メンテナンス補助具１００を構成した。【選択図】図１
2012200063.tif 000002
【特許請求の範囲】
【請求項１】
碍子連を構成する碍子の上方を開放するとともに当該碍子を当該碍子の下方から覆うカバー部材と、
前記カバー部材が前記碍子連を覆う状態で当該カバー部材を支持するカバー支持部材と、
前記カバー部材の内側に設けられ、前記碍子から前記カバー部材を離間させる離間部材と、
を備えたことを特徴とする碍子メンテナンス補助具。
【請求項２】
前記カバー部材の内側に設けられ、液体を吸収可能な材料を用いて形成されたシート形状をなす吸収材を備えたことを特徴とする請求項１に記載の碍子メンテナンス補助具。
【請求項３】
前記吸収材は、一面側に液体の透過を遮る不透過性の層を備え、当該不透過性の層を前記カバー部材に対向させた状態で前記カバー部材の内側に設けられることを特徴とする請求項２に記載の碍子メンテナンス補助具。
【請求項４】
前記吸収材は、前記カバー部材から取り外し可能に設けられることを特徴とする請求項２または３に記載の碍子メンテナンス補助具。
【請求項５】
前記離間部材は、前記碍子連を支持するワイヤに取り外し可能に取り付けられ、前記ワイヤを中心とし前記碍子連を構成する碍子の半径と同等以上の半径の略扇形の板形状をなし、前記碍子の間にそれぞれ設けられることを特徴とする請求項１〜４のいずれか一つに記載の碍子メンテナンス補助具。
【請求項６】
前記離間部材は、前記ワイヤの上側および下側にそれぞれ設けられることを特徴とする請求項１〜４のいずれか一つに記載の碍子メンテナンス補助具。
【請求項７】
前記カバー部材は、折りたたみ可能な柔軟性を備えていることを特徴とする請求項１〜６のいずれか一つに記載の碍子メンテナンス補助具。
【発明の詳細な説明】
【技術分野】
【０００１】
この発明は、電柱や鉄塔などの電気設備に設けられた碍子のメンテナンスに用いる碍子メンテナンス補助具に関する。
【背景技術】
【０００２】
電線を支持する電柱や鉄塔などの電気設備においては、電線と当該電線を支持する電柱や鉄塔などの支持物とのあいだを絶縁するために用いられる碍子が設置されている。碍子においては、塩害防止や塵害防止を図るため、シリコンなどの薬剤が塗布されている場合がある。このような碍子に対しては、定期的に、シリコンを新しくするメンテナンス作業をおこなう必要があった。
【０００３】
従来、碍子に対するメンテナンス作業に際しては、シリコンを塗布する作業に先だって、まず、既に碍子に塗布されている古いシリコンを、灯油に浸した布を用いて拭き取ることによって除去する。その後、古いシリコンが除去された碍子に、新しいシリコンを塗布する。灯油は揮発性であるため、たとえば、布からしたたる程度の多めの灯油を布に浸す必要があった。
【０００４】
上記のような方法によって碍子のメンテナンス作業をおこなう場合、布に浸した灯油が作業場所付近の家屋や車両などに飛散することがあった。このため、上記のような方法によって碍子のメンテナンス作業をおこなう場合は、作業場所付近から所定範囲内の、灯油が飛散する可能性がある範囲内における家屋や車両などに、当該家屋や車両などを保護するためのシートを被せることによって、当該家屋や車両などに灯油が付着することを防止していた。
【発明の概要】
【発明が解決しようとする課題】
【０００５】
しかしながら、上述したように、灯油が付着することを防止するために灯油が飛散する可能性がある範囲における家屋や車両などにシートを被せるという従来の技術は、灯油が飛散する可能性がある範囲のすべてにシートを被せることは難しく、灯油が付着することを防止するには不十分であるという問題があった。
【０００６】
また、上述した従来の技術は、シートを被せた箇所すべてに灯油が飛散することは極めて少なく、実際に灯油が飛散するのはシートを被せた箇所の一部でしかないにもかかわらず、灯油が飛散する可能性がある範囲におけるすべての家屋や車両などにシートを被せなくてはならず、煩雑であるという問題があった。また、上述した従来の技術は、碍子のメンテナンス作業が完了した後に家屋や車両などに被せたシートを回収しなくてはならず、煩雑であるという問題があった。
【０００７】
この発明は、上述した従来技術による問題点を解消するため、碍子のメンテナンス作業にかかる作業効率の向上を図るとともに碍子のメンテナンス作業にかかる作業者の負担軽減を図ることができる碍子メンテナンス補助具を提供することを目的とする。
【課題を解決するための手段】
【０００８】
上述した課題を解決し、目的を達成するため、この発明にかかる碍子メンテナンス補助具は、碍子連を構成する碍子の上方を開放するとともに当該碍子を当該碍子の下方から覆うカバー部材と、前記カバー部材が前記碍子連を覆う状態で当該カバー部材を支持するカバー支持部材と、前記カバー部材の内側に設けられ、前記碍子から前記カバー部材を離間させる離間部材と、を備えたことを特徴とする。
【０００９】
また、この発明にかかる碍子メンテナンス補助具は、上記の発明において、前記カバー部材の内側に設けられ、液体を吸収可能な材料を用いて形成されたシート形状をなす吸収材を備えたことを特徴とする。
【００１０】
また、この発明にかかる碍子メンテナンス補助具は、上記の発明において、前記吸収材が、一面側に液体の透過を遮る不透過性の層を備え、当該不透過性の層を前記カバー部材に対向させた状態で前記カバー部材の内側に設けられることを特徴とする。
【００１１】
また、この発明にかかる碍子メンテナンス補助具は、上記の発明において、前記吸収材が、前記カバー部材から取り外し可能に設けられることを特徴とする。
【００１２】
また、この発明にかかる碍子メンテナンス補助具は、上記の発明において、前記離間部材が、前記碍子連を支持するワイヤに取り外し可能に取り付けられ、前記ワイヤを中心とし前記碍子連を構成する碍子の半径と同等以上の半径の略扇形の板形状をなし、前記碍子の間にそれぞれ設けられることを特徴とする。
【００１３】
また、この発明にかかる碍子メンテナンス補助具は、上記の発明において、前記離間部材が、前記ワイヤの上側および下側にそれぞれ設けられることを特徴とする。
【００１４】
また、この発明にかかる碍子メンテナンス補助具は、上記の発明において、前記カバー部材が、折りたたみ可能な柔軟性を備えていることを特徴とする。
【発明の効果】
【００１５】
この発明にかかる碍子メンテナンス補助具によれば、碍子のメンテナンス作業にかかる作業効率の向上を図るとともに碍子のメンテナンス作業にかかる作業者の負担軽減を図ることができるという効果を奏する。
【図面の簡単な説明】
【００１６】
【図１】この発明にかかる実施の形態の碍子メンテナンス補助具の構成を示す説明図（その１）である。
【図２】この発明にかかる実施の形態の碍子メンテナンス補助具の構成を示す説明図（その２）である。
【図３】この発明にかかる実施の形態の碍子メンテナンス補助具の構成を示す説明図（その３）である。
【図４】この発明にかかる実施の形態の碍子メンテナンス補助具の構成を示す説明図（その４）である。
【図５】この発明にかかる実施の形態の碍子メンテナンス補助具の構成を示す説明図（その５）である。
【図６】この発明にかかる実施の形態の碍子メンテナンス補助具の使用例を示す説明図（その１）である。
【図７】この発明にかかる実施の形態の碍子メンテナンス補助具の使用例を示す説明図（その２）である。
【図８】この発明にかかる実施の形態の碍子メンテナンス補助具の使用例を示す説明図（その３）である。
【発明を実施するための形態】
【００１７】
以下に添付図面を参照して、この発明にかかる碍子メンテナンス補助具の好適な実施の形態を詳細に説明する。
【００１８】
（碍子メンテナンス補助具の構成）
まず、この発明にかかる実施の形態の碍子メンテナンス補助具の構成について説明する。図１、図２、図３、図４および図５は、この発明にかかる実施の形態の碍子メンテナンス補助具の構成を示す説明図である。
【００１９】
図１においては、この発明にかかる実施の形態の碍子メンテナンス補助具を、メンテナンス対象とする碍子連に取り付け、斜め方向から見た状態を示している。図２においては、図１における一部を拡大し、メンテナンス対象とする碍子連に取り付けられたこの発明にかかる実施の形態の碍子メンテナンス補助具の一部を側方から見た状態を示している。図４および図５においては、この発明にかかる実施の形態の碍子メンテナンス補助具の一部を示している。
【００２０】
図１、図２、図３、図４および図５において、この発明にかかる実施の形態の碍子メンテナンス補助具１００は、カバー部材１０１と、離間部材１０２と、カバー取付部材１０３と、吸収材１０４と、を備えている。カバー部材１０１は、碍子連１１０を構成する碍子１１１の上方を開放するとともに、当該碍子１１１の下側部分を覆うことができる程度の大きさのシート形状をなしている。カバー部材１０１は、碍子１１１の下側半分以上を覆うことができる程度の大きさであることが好ましい。
【００２１】
碍子メンテナンス補助具１００の使用に際して、カバー部材１０１は、碍子連１１０を構成する碍子１１１を当該碍子１１１の下方から覆うように設けられる。カバー部材１０１は、折りたた可能な柔軟性を備えていることが好ましい。折りたた可能な柔軟性を備えたカバー部材１０１とすることにより、碍子メンテナンス補助具１００の運搬時や保管時などの不使用時にはカバー部材１０１を折りたたみ、小型化することができる。具体的には、たとえば、カバー部材１０１は、布（帆布）などによって実現することができる。
【００２２】
離間部材１０２は、カバー部材１０１の内側に設けられる。離間部材１０２は、碍子連１１０を構成する碍子１１１を支持するワイヤ１１２の長さ方向に沿って複数設けられる。離間部材１０２は、碍子連１１０を構成する碍子１１１の間にそれぞれ設けられる。離間部材１０２は、ワイヤを中心とし、碍子連１１０を構成する碍子１１１の半径と同等以上の半径の略扇形の板形状をなしている。離間部材１０２がなす略扇形の半径を、碍子連１１０を構成する碍子１１１の半径と同等以上とすることにより、カバー部材１０１は碍子１１１には接触せず離間部材１０２に当接するため、離間部材１０２によって碍子からカバー部材１０１を離間させることができる。
【００２３】
離間部材１０２は、たとえば、ゴムなどの弾性材料を用いて形成することができる。弾性材料を用いて離間部材１０２を形成することにより、メンテナンスの対象とする碍子１１１の大きさにあわせて適宜離間部材１０２を変形させることができる。これにより、メンテナンスの対象とする碍子１１１の大きさにかかわらず、大きさの異なる碍子１１１のメンテナンスに際して同じ離間部材１０２を用いることができる。
【００２４】
離間部材１０２は、ワイヤ１１２の上側および下側にそれぞれ設けられる。ワイヤ１１２の上側に設けられる離間部材１０２（１０２Ａ）と、ワイヤ１１２の下側に設けられる離間部材１０２（１０２Ｂ）と、は、１本のベルト４０１によって連結されている。ベルト４０１は、環状にした状態で、当該ベルト４０１の長さを調節可能な留め具１０２Ｃを備えている。留め具１０２Ｃは、たとえば、バックル式のフック型留め具１０２Ｃを用いることができる。留め具１０２Ｃを用いて碍子１１１のキャップ部分にベルト４０１を締め付けることによって、離間部材１０２を碍子連１１０に固定することができる。
【００２５】
碍子メンテナンス補助具１００の使用に際しては、ベルト４０１を碍子１１１のキャップ部分に巻き付けた状態で、ベルト４０１が碍子１１１のキャップ部分を締め付けるように当該ベルト４０１の長さを留め具１０２Ｃによって調整することにより、碍子連１１０を支持するワイヤ１１２に離間部材１０２を取り付けることができる。ベルト４０１の長さ調整、すなわち、離間部材１０２の固定にバックル式のフック型留め具１０２Ｃを用いることにより、ベルト４０１の長さを無段階に調整することができる。これによって、碍子１１１のキャップ部分の大きさに左右されることなく、ワイヤ１１２に対して離間部材１０２を確実に固定することができる。
【００２６】
留め具１０２Ｃは、ベルト４０１の両端部を固定しない状態、すなわちベルト４０１を１本の帯状態とすることができる。これによって、碍子１１１の大きさにかかわらず、碍子１１１のキャップ部分にベルト４０１を巻き付けることができる。碍子１１１のキャップ部分にベルト４０１を巻き付けた状態でベルト４０１の長さを調整することによってワイヤ１１２に対して離間部材１０２を固定することができ、ベルト４０１を１本の帯状態とすることによりワイヤ１１２から離間部材１０２を取り外すことができる。このように、離間部材１０２は、碍子連１１０を支持するワイヤ１１２に取り外し可能に取り付けられている。
【００２７】
離間部材１０２のうち、ワイヤ１１２よりも上側に設けられる離間部材１０２（１０２Ａ）には、当該離間部材１０２（１０２Ａ）にカバー部材１０１を取り付けるカバー取付部材１０３が取り付けられる穴４０２が設けられている。穴４０２は、離間部材１０２を板厚方向に貫通している。穴４０２は、離間部材１０２がなす略扇形の外周付近であって、かつ、水平方向における両端部に設けられている。
【００２８】
カバー部材１０１は、カバー取付部材１０３を介して離間部材１０２に取り付けられる。カバー取付部材１０３は、カバー部材１０１に取り付けられており、たとえば、フック状の部材、開閉可能な構造の環状の部材、針金状の部材、紐状の部材などによって実現することができる。
【００２９】
具体的には、たとえば、針金状の部材や紐状の部材によってカバー取付部材１０３を実現する場合、当該針金状の部材や紐状の部材を離間部材１０２に設けられた穴４０２に通した状態で、これらの針金状の部材や紐状の部材の両端を閉じて環状とすることによってカバー部材１０１を離間部材１０２に取り付けることができる。カバー取付部材１０３を実現する針金状の部材や紐状部材は、あらかじめカバー部材１０１に固定されていてもよく、カバー部材１０１を離間部材１０２に取り付ける際に支持ワイヤ１１２とカバー部材１０１とを縛り付けるものであってもよい。
【００３０】
また、具体的には、たとえば、フック状の部材によってカバー取付部材１０３を実現する場合、離間部材１０２に設けられた穴４０２にフック状の部材を引っ掛けることによって、カバー部材１０１を連結部材に取り付けることができる。この場合、カバー部材１０１は、離間部材１０２に対して取り外し可能に取り付けられる。
【００３１】
カバー取付部材１０３を実現する開閉可能な構造の環状の部材としては、たとえば、Ｄカンを用いることができる。Ｄカンなどの開閉可能な構造の環状の部材によってカバー取付部材１０３を実現する場合、開放させた状態の環状の部材を離間部材１０２に引っ掛けることによって、カバー部材１０１を連結部材に取り付けることができる。
【００３２】
また、Ｄカンなどの開閉可能な構造の環状の部材によってカバー取付部材１０３を実現する場合、離間部材１０２に設けられた穴４０２に引っ掛けた後の環状の部材を閉じることによって、カバー部材１０１が離間部材１０２から外れることを防止することができる。また、この場合、カバー部材１０１は、離間部材１０２に対して取り外し可能に取り付けられる。
【００３３】
この発明にかかる実施の形態においては、ワイヤ１１２よりも鉛直方向における上側に配置される離間部材１０２および当該離間部材１０２に設けられた穴４０２とカバー取付部材１０３とによって、碍子連１１０を覆う状態で当該カバー部材１０１を支持するカバー取付部材１０３を実現することができる。
【００３４】
カバー部材１０１の内側には、吸収材１０４が設けられる。吸収材１０４は、液体を吸収可能な材料を用いて形成されたシート形状をなしている。具体的には、吸収材１０４は、たとえば、スポンジなどの多孔質材料をシート状に形成することによって実現することができる。また、具体的には、吸収材１０４は、たとえば、吸湿性の高い高分子材料（吸水性ポリマー）を、シート状に形成することによって実現することができる。
【００３５】
吸収材１０４の一面側には、液体の透過を遮る不透過性の層５０１が設けられている。具体的には、吸収材１０４は、たとえば、ビニル製のシートによって実現することができる。吸収材１０４は、不透過性の層５０１をカバー部材１０１に対向させ、液体を吸収する層５０２を離間部材１０２側に向けた状態で、カバー部材１０１の内側に設けられる。吸収材１０４は、少なくとも、カバー部材１０１における下端に位置付けられるように、カバー部材１０１の内側に設けられる。吸収材１０４は、カバー部材１０１から取り外し可能に設けられている。
【００３６】
（碍子メンテナンス補助具１００の使用例）
つぎに、この発明にかかる実施の形態の碍子メンテナンス補助具１００の使用例について説明する。図６、図７および図８は、この発明にかかる実施の形態の碍子メンテナンス補助具１００の使用例を示す説明図である。
【００３７】
図６、図７および図８において、この発明にかかる実施の形態の碍子メンテナンス補助具１００は、鉄塔や電柱に設けられた碍子連１１０を構成する碍子１１１のメンテナンスに際して用いられる。碍子のメンテナンスに際しては、まず、作業者は、碍子メンテナンス補助具１００を構成する各部材を、電柱上や鉄塔上など、メンテナンス作業の対象となる碍子連１１０が設置されている作業場所まで運搬する。
【００３８】
碍子メンテナンス補助具１００は、カバー部材１０１と、複数の離間部材１０２と、カバー取付部材１０３と、吸収材１０４と、に分解することができるため、碍子メンテナンス補助具１００を運搬する際には、複数の作業者が分担して運搬することができる。これによって、碍子メンテナンス補助具１００の運搬にかかる作業者の負担軽減を図ることができる。
【００３９】
つぎに、作業場所まで運搬した碍子メンテナンス補助具１００を構成する各部材を用いて、作業場所において碍子メンテナンス補助具１００を組み立てる。碍子メンテナンス補助具１００の組み立てに際しては、まず、碍子連１１０を構成する各碍子１１１のキャップ部分に、離間部材１０２を取り付ける。離間部材１０２は、ワイヤ１１２の上側に設けられる離間部材１０２とワイヤ１１２の下側に設けられる離間部材１０２とがベルト４０１によって一体化されているため、環状にしたベルト４０１を留め具１０２Ｃで固定することによって、ワイヤ１１２の上側と下側とに離間部材１０２を同時に取り付けることができる。離間部材１０２は、鉄塔や電柱などの電気設備に近い方から遠い方へ向かって順次取り付ける。
【００４０】
つぎに、ワイヤ１１２の上側の離間部材１０２にカバー部材１０１を取り付ける。カバー部材１０１は、鉄塔や電柱などの電気設備に近い方に取り付けられた離間部材１０２から遠い方に取り付けられた里佳部材へ向かって、折りたたまれた状態のカバー部材１０１を順次伸張させながら取り付ける。折りたたまれた状態のカバー部材１０１は、碍子連１１０の長さに応じて適宜伸張させる。
【００４１】
これにより、碍子連１１０を構成する碍子１１１が、下方からカバー部材１０１によって覆われる。離間部材１０２は、ワイヤ１１２を中心とする円の半径よりも大きい半径の略扇形状をなしているため、カバー部材１０１は、碍子には接触せず、離間部材１０２に当設する。
【００４２】
ワイヤ１１２の上側の離間部材１０２にカバー部材１０１を取り付けることにより、カバー部材１０１の両端部は上側に向かって引き上げることができる。これにより、ワイヤ１１２の上側の離間部材１０２に取り付けられたカバー部材１０１の下端において、当該カバー部材１０１と離間部材１０２との間に隙間を形成することなく、当該カバー部材１０１を離間部材１０２に確実に接触させることができる。
【００４３】
カバー部材１０１の取り付けに際しては、カバー部材１０１の内側すなわちカバー部材１０１と離間部材１０２との間に吸収材１０４を位置付ける。カバー部材１０１は、吸収材１０４が、少なくとも離間部材１０２の下端とカバー部材１０１とに接触するように設ける。カバー部材１０１の取り付けに際しては、あらかじめカバー部材１０１に吸収材１０４を取り付けておいてもよい。
【００４４】
作業者は、この状態で碍子に塗布されたシリコンや汚れなどを拭き取る。拭き取り作業に際しては、灯油に浸した布を用いる。碍子は、カバー部材１０１によって覆われているため、揮発性の灯油を拭き取り用の布からしたたる程度に多めの含ませたために、当該布から余分な灯油が垂れ落ちた場合にも、垂れ落ちた灯油がカバー部材１０１の外に飛散することを防止できる。拭き取り作業に際しては、拭き取り用の布に含まれていた余分な灯油の他に、碍子を拭き取ることによって当該碍子に塗布されていたシリコンや汚れを含んだ灯油などが垂れ落ちる。
【００４５】
カバー部材１０１の内側には吸収材１０４が設けられているため、拭き取りに際して垂れ落ちた灯油などは、吸収剤によって吸収される。これによって、拭き取りに際して垂れ落ちた灯油などの液体がカバー部材１０１の外へ飛散することを確実に防止することができる。
【００４６】
カバー部材１０１の内側に設けられた吸収材１０４は、ビニルシートなどによって実現される液体の透過を遮る不透過性の層を備えており、当該層をカバー部材１０１側に対向させた状態で、当該カバー部材１０１の内側に設けられているため、吸収材１０４が吸収した灯油などの液体がカバー部材１０１ににじみ出ることを防止することができる。これによって、カバー部材１０１から当該カバー部材１０１の外部に滲み出した液体が作業場所の周囲に飛散することを防止できる。
【００４７】
拭き取り作業が完了した後は、拭き取りが完了した各碍子にあらたなシリコンを塗布する。碍子はカバー部材１０１によって覆われているため、シリコンを塗布する際にも、当該シリコンがカバー部材１０１の外へ飛散することを防止することができる。
【００４８】
この発明にかかる実施の形態の碍子メンテナンス補助具１００においては、碍子連１１０を構成する碍子１１１どうしの間に離間部材１０２がそれぞれ設けられており、各離間部材１０２の形状がワイヤ１１２を中心とする扇形状とされているため、隣り合う碍子どうしを容易かつ確実に離隔させることができる。
【００４９】
これによって、碍子に塗布されたシリコンや汚れなどを拭き取る作業が既に完了した碍子の隣の碍子に対して、当該碍子に塗布されたシリコンや汚れなどを拭き取る作業をおこなう場合にも、拭き取りに用いる灯油などが作業が既に完了した碍子に付着することを防止できる。
【００５０】
碍子連１１０を構成する各碍子に対して、既に塗布されたシリコンを拭き取る作業やあらたにシリコンを塗布する作業が完了した場合、カバー取付部材１０３を緩めてカバー部材１０１を鉛直方向下方に移動させる。これにより、碍子および離間部材１０２とカバー部材１０１の内面とを離間させ、碍子および離間部材１０２とカバー部材１０１の内面との間に空間を形成することができる。
【００５１】
この発明にかかる実施の形態の碍子メンテナンス補助具１００においては、吸収材１０４がカバー部材１０１に対して取り外し可能とされているため、碍子および離間部材１０２とカバー部材１０１の内面との間に形成された空間内で、カバー部材１０１から吸収材１０４を取り外し、取り外した吸収材１０４をカバーの内側においてまとめることができる。これによって、垂れ落ちた灯油やシリコンなどがしみ込んだカバー部材１０１を鉄塔や電柱などの作業場所から直接下ろす場合と比較して、垂れ落ちた灯油やシリコンなどが周囲に飛散することを確実に防止することができる。
【００５２】
さらに、吸収材１０４の一面側にはビニル製のシート（層）が設けられているため、当該ビニル製のシートを外側にするとともに、灯油などを吸収した側を内側にした状態で吸収材１０４をまるめることにより、垂れ落ちた灯油やシリコンなどが周囲に飛散することを確実に防止することができる。
【００５３】
以上説明したように、この発明にかかる実施の形態の碍子メンテナンス補助具１００は、碍子連１１０を構成する碍子１１１の上方を開放するとともに当該碍子を当該碍子の下方から覆うカバー部材１０１と、前記カバー部材１０１が前記碍子連１１０を覆う状態で当該カバー部材１０１を支持するカバー取付部材１０３と、前記カバー部材１０１の内側に設けられ、前記碍子から前記カバー部材１０１を離間させる離間部材１０２と、を備えたことを特徴としている。
【００５４】
この発明にかかる実施の形態の碍子メンテナンス補助具１００によれば、碍子連１１０のメンテナンスに際しては、カバー部材１０１によって碍子連１１０を構成する碍子１１１を当該碍子の下方から覆うことにより、碍子１１１の洗浄に用いた灯油などの洗浄液や碍子１１１に塗布するシリコンなどの薬剤などが周囲に落下および飛散することを防止できる。
【００５５】
これによって、この発明にかかる実施の形態の碍子メンテナンス補助具１００によれば、碍子のメンテナンス作業に際して、当該作業前に周囲の構造物や車両などにシートを被せたり、当該作業後にシートを回収したりする作業が不要になるため、碍子のメンテナンス作業にかかる作業効率の向上を図るとともに碍子のメンテナンス作業にかかる作業者の負担軽減を図ることができる。
【００５６】
また、この発明にかかる実施の形態の碍子メンテナンス補助具１００によれば、カバー部材１０１は碍子１１１から離間した状態で当該碍子を覆うことにより、汚れた灯油などの洗浄液や汚れた洗浄液と混ざったシリコンなどの薬剤が碍子１１１に付着することを防止できる。これによって、この発明にかかる実施の形態の碍子メンテナンス補助具１００によれば、洗浄作業や薬剤の塗布作業のやり直しを発生させることなく各作業をスムーズに進行させることができるため、碍子１１１のメンテナンス作業にかかる作業効率の向上を図るとともに碍子１１１のメンテナンス作業にかかる作業者の負担軽減を図ることができる。
【００５７】
また、この発明にかかる実施の形態の碍子メンテナンス補助具１００によれば、カバー部材１０１によって碍子１１１を覆うことにより、碍子１１１のメンテナンス作業中に碍子連１１０に設けられた物品や作業者が携帯する工具などが落下した場合にも、当該落下した物品や工具をカバー部材１０１によって捕捉することができる。
【００５８】
碍子１１１のメンテナンスナス作業中に落下した物品や工具が地上まで落下した場合、物品を破損させたり、通行人や地上での作業者に多大な被害を生じさせたりすることが懸念されるが、この発明にかかる実施の形態の碍子メンテナンス補助具１００によれば、万一、物品や工具などが落下した場合にも、当該物品や工具をカバー部材１０１によって捕捉することにより、物品を破損させたり、通行人や地上での作業者に多大な被害を生じさせることを防止できる。
【００５９】
また、この発明にかかる実施の形態の碍子メンテナンス補助具１００は、カバー部材１０１の内側に設けられ、液体を吸収可能な材料を用いて形成されたシート形状をなす吸収材１０４を備えたことを特徴としている。この発明にかかる実施の形態の碍子メンテナンス補助具１００によれば、碍子１１１の洗浄に用いた灯油などの洗浄液や余分な薬剤（シリコンなど）を吸収材１０４に吸収させることにより、灯油などの洗浄液やシリコンなどの薬剤などが周囲に落下および飛散することを確実に防止できる。
【００６０】
これによって、この発明にかかる実施の形態の碍子メンテナンス補助具１００によれば、碍子のメンテナンス作業に際して、碍子１１１のメンテナンス作業にかかる作業効率を確実に向上させるとともに碍子のメンテナンス作業にかかる作業者の負担を確実に低減することができる。
【００６１】
また、この発明にかかる実施の形態の碍子メンテナンス補助具１００は、吸収材１０４が、一面側に液体の透過を遮る不透過性の層を備え、当該不透過性の層をカバー部材１０１に対向させた状態でカバー部材１０１の内側に設けられることを特徴としている。この発明にかかる実施の形態の碍子メンテナンス補助具１００は、によれば、吸収材１０４が吸収した灯油などの洗浄液やシリコンなどの薬剤が吸収材１０４の外へ滲み出すことを防止できる。
【００６２】
これによって、灯油などの洗浄液やシリコンなどの薬剤などが周囲に落下および飛散することを確実に防止でき、碍子のメンテナンス作業に際して、碍子のメンテナンス作業にかかる作業効率を確実に向上させるとともに碍子のメンテナンス作業にかかる作業者の負担を確実に低減することができる。
【００６３】
また、この発明にかかる実施の形態の碍子メンテナンス補助具１００は、吸収材１０４が、カバー部材１０１から取り外し可能に設けられることを特徴としている。この発明にかかる実施の形態の碍子メンテナンス補助具１００によれば、碍子１１１の洗浄および碍子１１１への薬剤の塗布が終了した後、碍子連１１０からカバー部材１０１を取り外す前に、灯油などの洗浄液やシリコンなどの薬剤を吸収した吸収材１０４を撤去することができる。また、この発明にかかる実施の形態の碍子メンテナンス補助具１００によれば、吸収材１０４の撤去作業をカバー部材１０１の中でおこなうことができる。
【００６４】
これによって、この発明にかかる実施の形態の碍子メンテナンス補助具１００によれば、カバー部材１０１の取り外し作業に際して、灯油などの洗浄液やシリコンなどの薬剤などが周囲に落下および飛散することを確実に防止でき、碍子１１１のメンテナンス作業に際して、碍子１１１のメンテナンス作業にかかる作業効率を確実に向上させるとともに碍子１１１のメンテナンス作業にかかる作業者の負担を確実に低減することができる。
【００６５】
また、この発明にかかる実施の形態の碍子メンテナンス補助具１００は、離間部材１０２が、碍子連１１０を支持するワイヤ１１２に取り外し可能に取り付けられ、ワイヤ１１２を中心とし碍子連１１０を構成する碍子１１１の半径と同等以上の半径の略扇形の板形状をなし、碍子１１１の間にそれぞれ設けられることを特徴としている、
【００６６】
この発明にかかる実施の形態の碍子メンテナンス補助具１００によれば、洗浄作業や薬剤の塗布作業の対象となっている碍子１１１と隣り合う碍子１１１に、灯油などの洗浄液やシリコンなどの薬剤が飛散することを防止し、洗浄や薬剤（シリコンなど）の塗布が完了した碍子１１１に汚れた灯油などの洗浄液やシリコンなどの薬剤が付着することを防止できる。
【００６７】
これによって、この発明にかかる実施の形態の碍子メンテナンス補助具１００によれば、洗浄作業や薬剤（シリコンなど）の塗布作業のやり直しを発生させることなく各作業をスムーズに進行させることができるため、碍子１１１のメンテナンス作業にかかる作業効率の向上を図るとともに碍子１１１のメンテナンス作業にかかる作業者の負担軽減を図ることができる。
【００６８】
また、この発明にかかる実施の形態の碍子メンテナンス補助具１００は、離間部材１０２（１０２Ａ、１０２Ｂ）が、ワイヤ１１２の上側および下側にそれぞれ設けられることを特徴としている。この発明にかかる実施の形態の碍子メンテナンス補助具１００によれば、洗浄作業や薬剤（シリコンなど）の塗布作業の対象となっている碍子１１１と隣り合う碍子１１１に、灯油などの洗浄液やシリコンなどの薬剤が飛散することを確実に防止し、洗浄や薬剤（シリコンなど）の塗布が完了した碍子１１１に汚れた灯油などの洗浄液やシリコンなどの薬剤が付着することを確実に防止できる。
【００６９】
これによって、この発明にかかる実施の形態の碍子メンテナンス補助具１００によれば、洗浄作業や薬剤（シリコンなど）の塗布作業のやり直しを発生させることなく各作業をスムーズに進行させることができるため、碍子１１１のメンテナンス作業にかかる作業効率の一層の向上を図るとともに碍子１１１のメンテナンス作業にかかる作業者の一層の負担軽減を図ることができる。
【００７０】
また、この発明にかかる実施の形態の碍子メンテナンス補助具１００は、カバー部材１０１が、折りたた可能な柔軟性を備えていることを特徴としている。この発明にかかる実施の形態の碍子メンテナンス補助具１００によれば、運搬時などの碍子メンテナンス補助具１００の不使用時にはカバー部材１０１を折りたたんでおくことにより運搬性の向上や収容スペースの削減を図ることができ、碍子メンテナンス補助具１００の使用時にはカバー部材１０１を碍子連１１０の長さにあわせて必要な分だけ伸張させることができる。
【００７１】
これによって、多様なサイズの碍子連１１０（碍子１１１）のメンテナンスに用いることができ、高い汎用性を有する碍子メンテナンス補助具１００を提供することができる。
【産業上の利用可能性】
【００７２】
以上のように、この発明にかかる碍子メンテナンス補助具は、碍子連を構成する碍子のメンテナンスに用いる碍子メンテナンス補助具に有用であり、特に、住宅地や近隣に駐車車両が存在する場所に設置された碍子連のメンテナンス作業に用いる碍子メンテナンス補助具に適している。
【符号の説明】
【００７３】
１００  碍子メンテナンス補助具
１０１  カバー部材
１０２  離間部材
１０３  カバー取付部材
１０４  吸収材
１１０  碍子連
１１１  碍子
１１２  ワイヤ
【図１】
2012200063.tif 000003
【図２】
2012200063.tif 000004
【図３】
2012200063.tif 000005
【図４】
2012200063.tif 000006
【図５】
2012200063.tif 000007
【図６】
2012200063.tif 000008
【図７】
2012200063.tif 000009
【図８】
2012200063.tif 000010